(57)【要約】  【課題】有線通信に用いる情報伝送信号の受信端において、電流と電圧とを用いて、ダイバーシチ受信を行う。  【解決手段】ダイバーシチ受信用アダプタ２１は、家電機器や電話機など本来の負荷を接続するための負荷端子２２と、電圧検出端子２４と電流検出端子２３とを備えている。これらの電圧検出端子２４や電流検出端子２３から電圧信号と電流信号とを取り出して、ダイバーシチ受信処理を行うことによって、電流と電圧の相補的な関係を利用して、受信品質の向上効果が期待できる。  【効果】家電機器や電話機など本来の負荷を接続するアダプタに、電圧検出端子２４と電流検出端子２３とを備えるので、１つのアダプタで、負荷の接続と、情報伝送信号の取り込みとができる。狭いアダプタ設置スペースを有効に利用できる。【選択図】        図２
2006222683.tif 000002
【特許請求の範囲】
【請求項１】
情報伝送信号を、一対の線路に重畳して通信する有線通信に用いられるダイバーシチ受信用アダプタであって、
前記線路の受信端で検出された電圧に含まれる情報伝送信号（電圧信号という）を検出する電圧検出部及びその電圧検出端子と、
前記線路の受信端で検出された電流に含まれる情報伝送信号（電流信号という）を検出する電流検出部及びその電流検出端子と、
前記線路に負荷を接続するための負荷端子と、
を備えることを特徴とする有線通信に用いるダイバーシチ受信用アダプタ。
【請求項２】
前記線路は電力線であり、前記負荷を接続するための負荷端子は、ＡＣコンセントである請求項１記載の有線通信に用いるダイバーシチ受信用アダプタ。
【請求項３】
前記線路は電話線であり、前記負荷を接続するための負荷端子は、電話コンセントである請求項１記載の有線通信に用いるダイバーシチ受信用アダプタ。
【発明の詳細な説明】
【技術分野】
【０００１】
本発明は、電力線、電話線などの線路を伝送路に用いて通信を行う場合に利用される、受信品質の向上を実現するためのダイバーシチ受信技術に関するものである。
【背景技術】
【０００２】
ダイバーシチ受信方法は、同一内容の複数の受信信号を受信して、それらを合成したり、品質の良い方を選択したりして、受信品質を向上させる方法である。
ダイバーシチ受信方法は、従来、無線通信の分野において、異なった空中線で受信した信号、偏波の違う信号、電波到来角度の違う信号（これらのダイバーシチの対象とする信号をダイバーシチブランチという）などに対して、受信信号の品質を向上させるために行われてきた。
【０００３】
有線通信においても、ダイバーシチ受信の考えが取り入れられている（特許文献１，２参照）。
特許文献１，２では、同一の通信信号が伝送される複数の電力線を介して、受信端で、通信信号をダイバーシチ受信する方法が提案されている。
【特許文献１】特開2004-64405号公報
【特許文献２】特開平11-205201号公報
【発明の開示】
【発明が解決しようとする課題】
【０００４】
ところが、前記特許文献１，２記載のダイバーシチ受信方法は、複数の線路を利用している。
このため、送信端と受信端との間に、複数の線路を布設しなければならず、このため通信システム構築のためのコストが増大するという問題がある。
一般に、ダイバーシチによる受信品質向上効果を得るには、ダイバーシチブランチ間の相関が小さいことが必要である。すなわち、一方が悪い状態（例：振幅が小さい）のときに、他方が悪くない（例：振幅が大きい）という相補的な関係にあることが必要である。
【０００５】
本発明者は、一対の線路を流れる電流と電圧の関係が、相補的な関係にあることに注目した。
すなわち、線路につながれている負荷のインピーダンスが大きな場合、負荷の電圧は上がり、電流は小さくなる。負荷のインピーダンスが小さい場合は、負荷の電圧は下がり、電流は大きくなる。
【０００６】
したがって、情報伝送信号の受信端において、電流と電圧は相補的な関係にあるので、これらをダイバーシチブランチに選べば、受信品質の向上効果が期待できる。
そこで、電力線、電話線などの線路の受電端に、家電機器や電話機など本来の負荷を接続するアダプタに、ダイバーシチ受信用の電圧検出端子や電流検出端子が付けば、全体がコンパクトに収まるので、便利である。
【０００７】
本発明は、有線通信に用いる情報伝送信号の受信端において、本来の負荷を接続することができるとともに、相補的な関係にある電流と電圧とを取り出すことができるダイバーシチ受信用アダプタを提供することを目的とする。
【課題を解決するための手段】
【０００８】
本発明のダイバーシチ受信用アダプタは、線路の受信端で検出された電圧に含まれる情報伝送信号（電圧信号という）を検出する電圧検出部及びその電圧検出端子と、前記線路の受信端で検出された電流に含まれる情報伝送信号（電流信号という）を検出する電流検出部及びその電流検出端子と、前記線路に負荷を接続するための負荷端子とを備えるものである（請求項１）。
【０００９】
このダイバーシチ受信用アダプタによれば、家電機器や電話機など本来の負荷を接続するための負荷端子を備えているだけでなく、電圧検出端子と電流検出端子とを備えているので、これらの電圧検出端子や電流検出端子から電圧信号と電流信号とを取り出して、ダイバーシチ受信処理を行うことができる。このダイバーシチ受信によって、電流と電圧の相補的な関係を利用して、受信品質の向上効果が期待できる。
【００１０】
そして、家電機器や電話機など本来の負荷を接続するアダプタに、電圧検出端子と電流検出端子とを備えるので、１つのアダプタで、負荷の接続と、情報伝送信号の取り込みとができる。したがって、電圧検出端子及び電流検出端子を持った専用アダプタを用意することに比べれば、狭いアダプタ設置スペースを有効に利用できる。
また、受信装置内に電流検出部、電圧検出部を設置することが不要となり、受信装置が小型化できる。特に、前記線路が電力線の場合、受信装置に高圧の電力線を引込む必要が無くなるため、受信装置への引込線に細径のものが使用でき、かつ安全性が高まるという利点も有する。
【００１１】
前記線路が電力線である場合、前記負荷端子はＡＣコンセントであり（請求項２）、前記線路が電話線である場合は、電話コンセントである（請求項３）。
線路として電力線を用いる場合、負荷として接続された電気機器の負荷インピーダンスは、その機器の電源オンオフにより時間的に変動する。また線路が電話線の場合も、負荷として接続された電話機のオンフック、オフフックにより負荷インピーダンスが変動するので、本発明のアダプタにより電流信号と電圧信号を取り出し、受信装置にてダイバーシチ受信を行う方法が効果的に適用できる。
【００１２】
前記ダイバーシチ受信は、前記検出された電流信号及び電圧信号に対して、受信品質が最良になるようにそれぞれ重みを付けて合成する、いわゆる合成ダイバーシチを採用してもよく、前記電圧信号及び電流信号のうち受信品質の良いほうを選択する、いわゆる選択ダイバーシチを採用しても良い。
前記合成処理は、検出された電圧信号及び電流信号をそれぞれフーリエ変換し、フーリエ変換した周波数領域の信号に対してそれぞれ重みを付けて合成してもよい。特に、広帯域な情報伝送信号を伝送する場合、一般に負荷インピーダンスの周波数特性は均一ではなく、信号帯域内で大小の変動が生じる。本方法によれば、周波数領域で、上記相補性のある電流信号と電圧信号とを合成し、帯域内での信号スペクトルの不均一性を改善できる。
【００１３】
特に、前記電圧信号及び電流信号のいずれかを実数部、他方を虚数部にして複素時間信号を作成してフーリエ変換することとすれば、前記電圧信号と電流信号を個別にフーリエ変換するのに比べて、フーリエ変換回路の個数が半分で済み、フーリエ変換回路の回路構成が簡単になるという利点がある。
前記フーリエ変換に関係した情報伝送信号の伝送方式として、ＯＦＤＭ方式や、シングルキャリアブロック伝送方式があげられる。
【発明を実施するための最良の形態】
【００１４】
以下、本発明の実施の形態を、添付図面を参照しながら詳細に説明する。
図１は、情報伝送信号を一対の電力線又は電話線に重畳して通信する場合の、電力線又は電話線の受電端における情報伝送信号の検出回路を示すブロック図である。
前記電力線としては、家庭やオフィスに商用電力を供給する送配電線でもよく、車両内に直流電力を供給する車両内配線でもよい。
【００１５】
前記情報伝送信号は、ＲＺ符号、マンチェスタ符号などのベースバンド符号化信号、又はそれにＰＳＫ，ＦＳＫ，ＱＡＭなどのディジタル変調が施された帯域信号のいずれであってもよい。
情報伝送信号は、電流成分検出回路１により電流信号として検出され、電圧成分検出回路２により電圧信号として検出される。
【００１６】
電流信号は、例えば線路に直列に挿入した抵抗の両端の電圧として容易に検出できるが、抵抗を挿入すると損失を生じるため、線路を取り囲むコイル（変流器）を挿入するのが一般的である。ここでは、変流器の一種として、電力線を変圧器の磁気回路に挿入して、その巻き線に発生する電圧を検出する電流プローブを使用する。
電圧信号は、受電端の線路間に発生する電圧を検出すればよく、その検出のための回路構成は任意である。
【００１７】
なお、注意すべきは、電流信号自体は、必ずしも電流変化で表されている必要はなく、抵抗等により電圧に変換されていてもよいことである。以下、本発明の実施形態では、電流信号、電圧信号ともに、電圧変化で表された信号であるとして説明を進める。
本発明によるアダプタを用いたダイバーシチ受信方法では、これらの電流信号、電圧信号をダイバーシチブランチとして扱い、これらの電圧信号及び電流信号を合成することにより、又は、いずれかを選択することにより、受信品質を向上させる。
【００１８】
図２は、本発明のダイバーシチ受信用アダプタ２１を示すブロック図である。
ダイバーシチ受信用アダプタ２１は、前記電流成分検出回路１及びその電流検出端子２３と、前記電圧成分検出回路２及びその電圧検出端子２４と、電力線又は電話線に負荷を接続するための負荷端子２２とを含む１つの筐体からなる。
筐体の材質は、金属、合成樹脂などを問わない。また、筐体は壁掛けや壁埋め込みの固定型であってもよく、前記線路の先に取り付けられた移動型（いわゆるテーブルタップ型）であってもよい。
【００１９】
前記電流検出端子２３と電圧検出端子２４は、ダイバーシチ受信装置（後述）に、それぞれ電流信号と電圧信号を供給するものであり、その端子形式は任意である。
ここで「端子」には、例えば、コネクタ、ターミナル、端子金具、導線をネジで止めるネジ式端子台、導線を差し込むだけで結線するいわゆるスクリューレス端子台、リード線を引き出したいわゆるリード端子など、各種の実施態様が採用可能である。
【００２０】
前記負荷を接続するための負荷端子２２は、前記線路が電力線である場合は、ＡＣコンセントである。このコンセントに、本来の負荷である家電機器の電源コードのプラグを挿入して使用する。なお負荷端子には上記の他、任意の形状のものが適用できる。
また、電力線等が接続される線路側に端子を設けてもよい。たとえば線路側にＡＣプラグ端子を設ければ、本アダプタを直接ＡＣコンセントに差し込んで使用できる。
【００２１】
前記線路が電話線である場合は、前記負荷を接続するための負荷端子２２は、電話コンセントである。この電話コンセントに電話機、コンピュータなどのモジュラープラグを差し込んで使用する。
なお、検出される電圧信号及び電流信号の周波数帯域は、電力線の電源周波数や電話線の電話信号の周波数よりも高い周波数であるので、周波数の低い電源電圧・電流や電話信号を除去するために、高域通過フィルタＦを通しておくことが望ましい。
【００２２】
そこで、前記ダイバーシチ受信用アダプタ２１の電流成分検出回路１と、電圧成分検出回路２には、それぞれ高域通過フィルタＦが挿入されている。高域通過フィルタＦの形式は、抵抗とコンデンサを使用した回路、コイルとコンデンサを使用した回路など任意である。
なお、図２では、電流検出端子２３と電圧検出端子２４をそれぞれ別の２回路コネクタで構成していたが、１つの４回路コネクタにまとめてもよい。１つのコネクタにすると、ダイバーシチ受信装置との結線が一括して行えるので、省力化に有益である。また、結線の数を減らすために、電流検出端子２３の一端と電圧検出端子２４の一端を共通にすることも可能である。
【００２３】
ダイバーシチ方式には、通信品質が最良になるように電流信号ｉr(t)、電圧信号ｖr(t)にそれぞれ所定の重み係数をかけて加算する「合成ダイバーシチ」と、電流信号ｉr(t)、電圧信号ｖr(t)のいずれか通信品質の良い方を選択する「選択ダイバーシチ」とがある。「通信品質が良い」とは、例えば受信電力を比較して高い方、ＳＮ比の高い方又は伝送ひずみの小さい方などをいう。また、選択ダイバーシチには、選択スイッチング回路を復調前段に設置するか復調後段に設置するかの種類がある。
【００２４】
以下の実施形態では、合成ダイバーシチを例にとって詳しく説明する。
図３は、ＯＦＤＭ(Orthogonal Frequency Division Multiplex)方式の合成ダイバーシチ受信装置を示すブロック図である。
合成ダイバーシチ受信装置は、電流信号ｉr(t)、電圧信号ｖr(t)をそれぞれ入力している。電流信号ｉr(t)は、直列化された信号をＮシンボル（Ｎは例えば２５６）ごとに並列化する直並列変換回路４ａを通って、２Ｎ個の並列信号となる。電圧信号ｖr(t)も、Ｎシンボル直並列変換回路４ｂを通って、２Ｎ個の並列信号となる。"２"が付くのは、ＩＦＦＴ（逆フーリエ変換）回路の入出力が複素数なので、実数部とともに、虚数部を有するためである。ただし、電流信号ｉr(t)、電圧信号ｖr(t)は実数信号なので、虚数部の値はすべて０である。
【００２５】
各並列信号は、ＦＦＴ回路５ａ，５ｂでフーリエ変換される。フーリエ変換された信号をＩr(k)、Ｖr(k)と表記する。ここで"k"は離散周波数を表す変数であり、k=0,1,2,...,N-1である。
一方、電流信号ｉr(t)、電圧信号ｖr(t)は、それぞれ伝送路特性推定部８ａ，８ｂによって、伝送路特性が推定される。伝送路特性は、線路の送信端から受信端までの伝達関数である。例えば、情報伝送信号にあらかじめ挿入されたパイロット信号をフィルタで取り出し、その強度と位相を測定すれば得られる。
【００２６】
伝送路特性推定部８ａ，８ｂは、電流信号Ｉr(k)及び電圧信号Ｖr(k)に対する周波数領域での上記伝達関数を出力する。これらの信号は上記離散周波数ｋと同じ離散周波数で表現される実数部、虚数部の合計２Ｎ個の並列信号であり、それぞれｈi(k)，ｈv(k)と表す。
合成等化部６は、重み係数ｇi(k)，ｇv(k)を、各フーリエ変換後の信号Ｉr(k)、Ｖr(k)に乗じて加算する。加算された信号Ｒ(k)は、次のように表される。
【００２７】
Ｒ(k)＝ｇi(k)Ｉr(k)＋ｇv(k)Ｖr(k)
合成等化部６は、この加算後の信号Ｒ(k)のＳＮ比を最大にするように、重み係数ｇi(k)，ｇv(k)を決定する。重み係数ｇi(k)，ｇv(k)は、前記ｈi(k)，ｈv(k)を用いて、
ｇi(k)＝ｈ*i(k)／（|ｈ*i(k)|2＋|ｈ*v(k)|2）
ｇv(k)＝ｈ*v(k)／（|ｈ*i(k)|2＋|ｈ*v(k)|2）
で算出することができる。"*"は複素共役を表す。
【００２８】
なお、重み係数ｇi(k)，ｇv(k)の求め方の詳細は、アンテナダイバーシチの例であるが、トリケップス企画部編「〜ディジタル放送／移動通信のための〜ＯＦＤＭ変調技術」p.115-p.120,株式会社トリケップス、2000年３月６日発行、を参照。
これによって、復調後の信号の誤り率を最小にすることが可能となる。
なお、以上の伝送路特性推定部８ａ，８ｂはパイロット信号を使って伝送路特性をｈi(k)，ｈv(k)を決定していたが、それ以外でもよい。例えば、形の分かっている信号（チャープ信号やPN系列など）を適当な間隔で挿入し、受信機側でその歪みを測定して伝送路特性を推定する、送信データシンボルの代わりに既知のシンボルを一定間隔で送信しその歪みを測定して伝送路特性を推定する方法がある。詳細は前記文献p.102-p.108を参照。
【００２９】
また、合成等化部６は、信号R(k)のSN比が最大になるよう重み係数ｇi(k)，ｇv(k)を決定していたが、それ以外にも伝送品質が改善できる条件を設定すればよく、決定方法は任意である。
合成等化部６で加算された信号Ｒ(k)は、復調器７に入り、もとの符号列に変換される。符号列は、Ｎシンボル並直列変換回路１０で並直列変換され、情報データとして取り出される。
【００３０】
以上のように、この合成ダイバーシチ受信装置では、電力線又は電話線の受電端における電流信号、電圧信号を検出して、伝送特性が最良になるように、電流信号、電圧信号を所定の重みで合成するので、どの時点においても、最良の情報伝送信号を復元することができる。
次に、次にシングルキャリアブロック伝送方式（Single carrier block transmission, SCBT、以下SCBT方式という）の場合を説明する。
【００３１】
なお、SCBT方式とは、複数の情報シンボルから構成された信号ブロックを送信し、受信側でこのブロック単位で等化や復調の処理を行うブロック伝送方式において、送信ブロックにガード区間（guard interval, GI）を付加し、受信側で離散周波数領域等化を行う伝送方式である。
ここで情報伝送信号は、単一の周波数帯域で情報シンボルを伝送するベースバンド信号、または単一搬送波（シングルキャリア）を変調した帯域信号である。
【００３２】
ガード区間として、送信ブロック末尾一部のコピー（サイクリックプレフィクス）を挿入したものをSC-CP (Single carrier block transmission with cyclic prefix)方式と呼び、受信側で離散フーリエ変換を用いることにより効果的な周波数領域等化を実施できる。以上の詳細は、2004 Microwave Workshop Digest, p.523-532.を参照。
図４は、有線通信に用いるＳＣＢＴ方式の合成ダイバーシチ受信装置を示すブロック図である。
【００３３】
このＳＣＢＴ方式とＯＦＤＭ方式との違いは、ＯＦＤＭ方式では情報伝送信号を送信側で逆フーリエ変換して伝送路に送り出し、受信機がその信号をフーリエ変換し、等化して使用するのに対して、ＳＣＢＴ方式では、送信機の方で逆フーリエ変換しないで伝送路に送り出し、受信機でその信号をフーリエ変換し、周波数領域で等化し、逆フーリエ変換して使用することである。伝送信号スペクトルの観点ではOFDMではマルチキャリア、SCBTではシングルキャリアの形態となる。
【００３４】
ＳＣＢＴ方式の受信機側では、受信時間信号を離散フーリエ変換するので、以上に説明した本発明の内容を適用することができる。そのため、ＳＣＢＴ方式のＮシンボル直並列変換回路４ａ，４ｂ、ＦＦＴ回路５、伝送路特性推定部８ａ，８ｂ、及び合成等化部６は、ＯＦＤＭ方式の回路と実質的に同じ回路である。
図４において、合成等化部６で合成された信号Ｒ(k)は、ＩＦＦＴ回路９で逆フーリエ変換され、時間軸上のシンボル列に変換される。シンボル列は、Ｎシンボル並直列変換され、復調器７に入って復調され、情報データとして取り出される。
【００３５】
以上のようにＳＣＢＴ方式の合成ダイバーシチ受信装置でも、上記ＯＦＤＭ方式の合成ダイバーシチ受信装置と同様に、どの時点においても、最良の情報伝送信号を復元することができる。
次に、電流信号ｉr(t)、電圧信号ｖr(t)の一つを実数部、他の一つを虚数部とみなす簡略化合成ダイバーシチ方式を説明する。
【００３６】
図３、図４の回路では、電流信号ｉr(t)は２Ｎ個の並列複素信号で表されるが、そのうち虚数部のＮ個は０であり、実際に必要なのは実数部のＮ個である。電圧信号ｖr(t)も２Ｎ個の並列複素信号で表されるが、そのうち虚数部のＮ個は０であり、実際に必要なのは実数部のＮ個である。従って、ＦＦＴ回路５ａ，５ｂとしては冗長な回路構成であった。
この簡略化合成ダイバーシチ方式のＦＦＴ回路５を、図５に示す。このＦＦＴ回路５は、Ｎ個の並列信号である電流信号ｉr(t)の実数部と、Ｎ個の並列信号である電圧信号ｖr(t)の実数部に虚数単位ｊをかけたものとの和
ｕ(t)＝ｉr(t)＋ｊｖr(t)
を入力信号としている。入力信号ｕ（ｔ）は、フーリエ変換されてＦＦＴ回路５の出力には周波数領域の信号Ｕ(k)＝Ｘ(k)＋ｊＺ(k)が得られる。ここで、Ｘ(k)，Ｚ(k)はそれぞれＵ(k)の実数部、虚数部である。Ｘ(k)，Ｚ(k)は所望の電流、電圧信号のフーリエ変換値ではないので、次の演算により電流、電圧信号のフーリエ変換値Ｉr(k)、Ｖr(k)に変換する。
【００３７】
Ｉr(k)=［Ｘ(k)/2＋Ｘ(N-k)/2］＋ｊ［Ｚ(k)/2−Ｚ(n-k)/2］  （１）
Ｖr(k)=［Ｚ(k)/2＋Ｚ(N-k)/2］−ｊ［Ｘ(k)/2−Ｘ(n-k)/2］  （２）
ここでNは時間領域の標本数、つまりFFTのポイント数、ｎ＝０,...,Ｎ−１である（宮川、今井「高速フーリエ変換」p.185-p.187,科学技術出版社、昭和53年12月15日発行）。
この演算によりFFT回路５出力値より、電流信号のフーリエ変換値Ｉr(k)と電圧信号のフーリエ変換値Ｖr(k)を分離することができる。
【００３８】
こうして分離されたＩr(k)，Ｖr(k)は、合成等化部６に入力される。以下の処理は、図４で説明したのと同様である。
この簡略化合成ダイバーシチ方式では、図３、図４の回路と異なり、ＦＦＴ回路５が１つで済むのが利点となる。すなわち、図３、図４の回路では、２つのＦＦＴ回路５ａ，５ｂを使いながら、実際には、ＦＦＴ回路１つ分の処理しかしていない。ところが、この図５の回路では、Ｎ個の並列信号である電流信号ｉr(t)と、電圧信号ｖr(t)とで１つの複素時間信号を構成しているので、１つのＦＦＴ回路５を使って処理を行うことができる。またFFT回路５出力から電流信号のフーリエ変換値Ｉr(k)と電圧信号のフーリエ変換値Ｖr(k)の分離は簡単な四則演算で実現できる。したがって、ＦＦＴ全体の回路規模が半分で済み、受信装置の簡素化が実現できるとともに、前記の２個のＦＦＴ回路を使用した場合と同じダイバーシチ効果を得ることができる。
【００３９】
図６は、ＯＦＤＭ方式の簡略化合成ダイバーシチ受信装置を示すブロック図である。
この簡略化合成ダイバーシチ受信装置と、図３の合成ダイバーシチ受信装置との相違点は、電流信号ｉr(t)が、Ｎシンボル直並列変換回路１４ａを通って、虚数部０が省略されたＮ個の並列信号となり、電圧信号ｖr(t)も、Ｎシンボル直並列変換回路１４ｂを通って、Ｎ個の並列信号となることである。"２"は付かない。
【００４０】
ＦＦＴ回路５は、図３と違って、複素化部５１、ＦＦＴ部５２、演算部５３により構成される。
複素化部５１は、電流信号ｉr(t)に相当する前記Ｎ個の並列実数信号と、電圧信号ｖr(t)に相当する前記Ｎ個の並列実数信号とを使って、複素時間信号
ｕ(t)＝ｉr(t)＋ｊｖr(t)
を作る。
【００４１】
ＦＦＴ部５２は、この信号をフーリエ変換し、周波数領域の複素信号Ｕ(k)を出力する。
演算部５３は、前述した(1)(2)式を使って、Ｉr(k)，Ｖr(k)を求める。
合成等化部６は、前述したように、重み係数ｇi(k)，ｇv(k)を決定して、各フーリエ変換後の信号Ｉr(k)、Ｖr(k)に乗じて、加算する。加算された信号Ｒ(k)は、次のように表される。
【００４２】
Ｒ(k)＝ｇi(k)Ｉr(k)＋ｇv(k)Ｖr(k)
合成等化部６は、この加算後の信号Ｒ(k)のＳＮ比を最大にするように、重み係数ｇi(k)，ｇv(k)を決定する。復調器７は信号Ｒ(k)をもとの符号列に変換し、符号列は、Ｎシンボル並直列変換され、情報データとして取り出される。
図７は、ＳＣＢＴ方式の簡略化合成ダイバーシチ受信装置を示すブロック図である。
【００４３】
図４のＳＣＢＴ方式合成ダイバーシチ受信装置との違いは、電流信号ｉr(t)が、Ｎシンボル直並列変換回路１４ａを通って、虚数部０が省略されたＮ個の並列信号となり、電圧信号ｖr(t)も、Ｎシンボル直並列変換回路１４ｂを通って、Ｎ個の並列信号となることである。
また、ＦＦＴ回路５は、図４と違って、複素化部５１、ＦＦＴ部５２、演算部５３により構成される。
【００４４】
複素化部５１は、電流信号ｉr(t)に相当するＮ個の並列実数信号と、電圧信号ｖr(t)に相当するＮ個の並列実数信号とを使って、複素時間信号
ｕ(t)＝ｉr(t)＋ｊｖr(t)
を作り、ＦＦＴ部５２は、この関数をフーリエ変換し、演算部５３は、前述した(1)(2)式を使って、Ir(k)，Ｖr(k)を求める。他の合成等化部６、ＩＦＦＴ回路９などの機能は、図４と同様である。以上のようにＯＦＤＭ方式及びＳＣＢＴ方式の簡素化合成ダイバーシチ受信装置でも、前記の２個のＦＦＴ回路を使用した場合と同じダイバーシチ効果を得ることができる。
【００４５】
以上で、本発明の実施の形態を説明したが、本発明の実施は、前記の形態に限定されるものではなく、本発明の範囲内で種々の変更を施すことが可能である。 
【図面の簡単な説明】
【００４６】
【図１】情報伝送信号を一対の電力線又は電話線に重畳して通信する場合の、受電端における情報伝送信号の検出回路を示すブロック図である。
【図２】本発明のダイバーシチ受信用アダプタを示すブロック図である。
【図３】ＯＦＤＭ方式の合成ダイバーシチ受信装置を示すブロック図である。
【図４】ＳＣＢＴ方式の合成ダイバーシチ受信装置を示すブロック図である。
【図５】簡略化合成ダイバーシチ方式のＦＦＴ回路５を示すブロック図である。
【図６】ＯＦＤＭ方式の簡略化合成ダイバーシチ受信装置を示すブロック図である。
【図７】ＳＣＢＴ方式の簡略化合成ダイバーシチ受信装置を示すブロック図である。
【符号の説明】
【００４７】
１  電流成分検出回路
２  電圧成分検出回路
３  負荷
４ａ，４ｂ  Ｎシンボル直並列変換回路
５，５ａ，５ｂ  ＦＦＴ回路
６  合成等化部
７  復調器
８ａ，８ｂ  伝送路特性推定部
９  ＩＦＦＴ回路
１０  Ｎシンボル並直列変換回路
１４ａ，１４ｂ  Ｎシンボル並直列変換回路
２１  ダイバーシチ受信用アダプタ
２２  負荷端子
２３  電流検出端子
２４  電圧検出端子
５１  複素化部
５２  ＦＦＴ部
５３  演算部
【図１】
2006222683.tif 000003
【図２】
2006222683.tif 000004
【図３】
2006222683.tif 000005
【図４】
2006222683.tif 000006
【図５】
2006222683.tif 000007
【図６】
2006222683.tif 000008
【図７】
2006222683.tif 000009